(57)【特許請求の範囲】
【請求項１】
ランドセルの前締めベルトが設けられたマチ部分に装着される収納袋であって、
袋本体と、
前記マチ部分を挟み込むクリップ部材であって、前記マチ部分の内面と接する内側片と、前記マチ部分の外面と接する外側片と、前記内側片と前記外側片との間に設けられ前記マチ部分の上縁に掛けられる折り曲げ部と、を有するクリップ部材と、
前記袋本体の前記マチ部分との対向面に設けられ、前記外側片を通すためのクリップ通し部と、
前記クリップ通し部を通された前記外側片の前記クリップ通し部よりも先端側の部分と、前記対向面との間に設けられ、前記袋本体を前記クリップ部材に着脱自在に取り付ける取り付け部と、
を備え、
前記クリップ部材を前記マチ部分に取り付けた状態で、前記外側片が前記クリップ通し部と前記取り付け部との間で前記前締めベルトと前記マチ部分との間に通されることを特徴とするランドセルに装着される収納袋。
【請求項２】
前記折り曲げ部の前記上縁と接する位置から前記外側片の先端までの長さは、前記上縁から前記前締めベルトの下端までの長さよりも長く、
前記外側片の幅は、前記前締めベルトを前記マチ部分に固定する２つのリベットの内寸よりもわずかに狭いことを特徴とする請求項１記載のランドセルに装着される収納袋。
【請求項３】
前記取り付け部は、面ファスナであることを特徴とする請求項１または２に記載のランドセルに装着される収納袋。
【請求項４】
前記袋本体は、折りたたみ可能な側面を有することを特徴とする請求項１〜３のいずれか１つに記載のランドセルに装着される収納袋。
【請求項５】
前記袋本体の側面には、前記側面を折りたたんだ際に向かい合う面どうしを付け剥がし可能に貼り合わせる面ファスナが設けられたことを特徴とする請求項４記載のランドセルに装着される収納袋。
【発明の詳細な説明】
【技術分野】
【０００１】
本発明は、ランドセルの側面に簡単かつ確実に取り付けられる収納袋に関する。
【背景技術】
【０００２】
ランドセルには、正面から側面（マチ部分）にかけて、前締めベルトが取り付けられている。ランドセルのマチ部分に掛かる前締めベルトには、フックやナスカンが取り付けられている。ランドセルに収納できない給食袋や体操着袋などは、このフックやナスカンに掛けたり、前締めベルトに吊り下げたりして取り付けられる。
【０００３】
しかし、ランドセルに給食袋等を吊り下げておくと、袋が揺れて歩行の邪魔になる。そこで、特許文献１には、略逆Ｕ字状の二つ折り引掛片を帯体（前締めベルト）に引っ掛けて小物容器を取り付ける構造のランドセルが開示されている。また、特許文献２には、容器に取り付け板を固定しておき、この取り付け板をランドセルの側面の上周縁に引っ掛けて容器を取り付ける構成が開示されている。
【先行技術文献】
【特許文献】
【０００４】
【特許文献１】実用新案登録第３０１７７４８号公報
【特許文献２】実開昭５５−１７９５２７号公報
【発明の概要】
【発明が解決しようとする課題】
【０００５】
しかしながら、いずれの収納袋においても、二つ折りの引掛片を前締めベルトや側面の上周縁に単に引っ掛けて取り付ける構造のため、収納袋をランドセルに安定して固定することはできない。例えば、特許文献１に開示された小物容器の取り付けでは、ランドセルの帯体に二つ折り引掛片を引っ掛けるため、帯体の捻れによって小物容器が振られてしまう。また、特許文献２に開示された容器の取り付けにおいては、ランドセルの側面の上周縁に引っ掛け部を引っ掛けるだけで取り付けているため、容器の上部を支点として下部がランドセルから離れるように振られやすい。
【０００６】
ここで、ランドセルに収納袋を確実に固定するため、ランドセルの側面に固定具を設けておき、この固定具によって収納袋をしっかり固定することが考えられる。しかし、予めランドセルに専用の固定具を設けておく必要があり、既存のランドセルでは対応できない。
【０００７】
本発明の目的は、ランドセルの側面に簡単に装着でき、しかも確実に固定することができるランドセルに装着される収納袋を提供することである。
【課題を解決するための手段】
【０００８】
上記課題を解決するため、本発明は、ランドセルの前締めベルトが設けられたマチ部分に装着される収納袋であって、袋本体と、マチ部分を挟み込むクリップ部材であって、マチ部分の内面と接する内側片と、マチ部分の外面と接する外側片と、内側片と外側片との間に設けられ、マチ部分の上縁に掛けられる折り曲げ部と、を有するクリップ部材と、袋本体のマチ部分との対向面に設けられ、外側片を通すためのクリップ通し部と、クリップ通し部を通された外側片のクリップ通し部よりも先端側の部分と、対向面との間に設けられ、袋本体をクリップ部材に着脱自在に取り付ける取り付け部と、を備える。そして、クリップ部材をマチ部分に取り付けた状態で、外側片がクリップ通し部と取り付け部との間で前締めベルトと前記マチ部分との間に通されることを特徴とする。
【０００９】
このような構成によれば、クリップ部材がマチ部分を挟み込むように固定される。また、クリップ部材の外側片が、クリップ通し部と取り付け部との間で前締めベルトと前記マチ部分との間に通されるため、外側片を外側に引っ張る力が加わっても前締めベルトで規制される。これにより、袋本体がランドセルのマチ部分から外側へ振られることを抑制することができる。
【００１０】
本発明において、折り曲げ部の上縁と接する位置から外側片の先端までの長さは、上縁から前締めベルトの下端までの長さよりも長く、外側片の幅は、前締めベルトをマチ部分に固定する２つのリベットの内寸よりもわずかに狭くすることが望ましい。
【００１１】
このような構成によれば、クリップ部材の折り曲げ部をマチ部分の上縁に引っ掛けた状態で、外側片を前締めベルトに確実に通すことができる。さらに、外側片を前締めベルトに通した状態で、外側片のずれる範囲が狭くなり、クリップ部材の横方向の振れを防止することができる。
【００１２】
本発明において、取り付け部は面ファスナであってもよい。このような構成によれば、袋本体とクリップ部材とを容易に着脱することができる。
【００１３】
本発明において、袋本体は、折りたたみ可能な側面を有していてもよい。このような構成によれば、物を収納する際には袋本体の側面を拡げて広いマチを構成し、物を収納しない場合や薄いものを収納する際には袋本体の側面を折りたたんでコンパクトにすることができる。
【００１４】
本発明において、袋本体の側面には、この側面を折りたたんだ際に向かい合う面どうしを付け剥がし可能に貼り合わせる面ファスナが設けられていてもよい。このような構成によれば、袋本体の側面を折りたたんだ際には面ファスナによって固定でき、側面を拡げたい場合には面ファスナを剥がすことで容易に対応することができる。
【発明の効果】
【００１５】
本発明によれば、ランドセルの側面に簡単に装着でき、しかも確実に固定することができるランドセルに装着される収納袋を提供することが可能になる。
【図面の簡単な説明】
【００１６】
【図１】第１実施形態に掛かる収納袋を例示する斜視図である。
【図２】（ａ）は収納袋の分解斜視図、（ｂ）は収納袋を組み立てた状態を例示する斜視図である。
【図３】クリップ部材をランドセルに取り付けた状態を例示する斜視図である。
【図４】（ａ）及び（ｂ）は、収納袋の取り付け方法を例示する斜視図である。
【図５】収納袋をランドセルに取り付けた状態を例示する断面図である。
【図６】収納袋をランドセルに取り付けた状態を例示する斜視図である。
【図７】ランドセルを背負った状態を例示する図である。
【図８】（ａ）は袋本体が拡げられた状態を例示する斜視図、（ｂ）は、袋本体が折りたたまれた状態を例示する斜視図である。
【発明を実施するための形態】
【００１７】
以下、本発明の実施形態を図面に基づいて説明する。なお、以下の説明では、同一の部材には同一の符号を付し、一度説明した部材については適宜その説明を省略する。
【００１８】
（第１実施形態）
［収納袋の装着状態及び構成］
図１の斜視図に表したように、本実施形態に係る収納袋１は、ランドセル１００の側面であるマチ部分１１１に装着されるものである。ランドセル１００は、上側に収納物の出し入れを行うための開口が設けられた収容部（大マチ及び小マチなどを含む）１１０と、収容部１１０の上に開閉可能に設けられた蓋である冠（かぶせ）１２０と、収容部１１０の背あて側に設けられた肩ベルト１３０と、を備える。マチ部分１１１は、収容部１１０の厚みを持たせる部分であり、ランドセル１００の特徴的な部分の一つである。
【００１９】
収容部１１０の真ん中やや上には、収容部１１０の左右のマチ部分１１１から正面側（背あてとは反対側の面）にかけて前締めベルト１４０が設けられる。前締めベルト１４０は、マチ部分１１１の拡がりを調整するためのベルトである。前締めベルト１４０は、マチ部分１１１において、例えば２つのリベット１４０Ｒにより固定される。
【００２０】
本実施形態に係る収納袋１は、袋本体１０と、クリップ部材２０と、を備える。袋本体１０には開閉可能な蓋１１が設けられる。蓋１１は、面ファスナなどによって袋本体１０に対して開け閉めできるようになっている。なお、袋本体１０は、蓋１１を備えず、ファスナによって開閉可能に設けられていてもよい。袋本体１０は、例えば布やナイロンなどの合成繊維によって形成される。袋本体１０は、皮、人工皮革、ビニール、防水性を備えた生地など、他の素材で作製されていてもよい。
【００２１】
クリップ部材２０は、ランドセル１００のマチ部分１１１を挟み込んで袋本体１０をマチ部分１１１に装着するための固定具である。図２（ａ）には、収納袋１の分解斜視図が表され、図２（ｂ）には、袋本体１０にクリップ部材２０を取り付けた状態の斜視図が表される。図２（ａ）に表したように、クリップ部材２０は、内側片２１、外側片２２、及び折り曲げ部２３を有する。
【００２２】
クリップ部材２０は、板材を二つ折りにしたもので、内側片２１から折り曲げ部２３を介して外側片２２まで一体的に形成されている。クリップ部材２０は、内側片２１と外側片２２との間でマチ部分１１１を挟むことができる。内側片２１と外側片２２との間にマチ部分１１１を嵌め込むことで、内側片２１がマチ部分１１１の内面と接し、外側片２２がマチ部分１１１の外面と接する。
【００２３】
クリップ部材２０は、例えば、厚さ約３ｍｍのポリプロピレンの板材の途中を折り曲げて構成される。板材を折り曲げた部分が折り曲げ部２３となる。また、折り曲げ部２３に対して一方端側が内側片２１となり、他方端側が外側片２２となる。クリップ部材２０によるマチ部分１１１の挟持力は、折り曲げ部２３の曲げ半径、内側片２１の長さなどによって設定される。例えば、折り曲げ部２３の曲げ半径が小さいほど挟持力は強く、大きいほど挟持力は弱くなる。また、内側片２１の長さが短いほど挟持力は強く、長いほど挟持力は弱くなる。
【００２４】
一例として、厚さ約３ｍｍ、幅約５０ｍｍのポリプロピレンを用いた場合、クリップ部材２０の内側片２１の長さは９０ｍｍ以上１１０ｍｍ以下程度、折り曲げ部２３の内側の曲げ半径は５ｍｍ以上１０ｍｍ以下程度である。外側片２２の長さは、袋本体１０の長さを超えないことが好ましい。
【００２５】
袋本体１０のマチ部分１１１との対向面１０ａには、クリップ通し部１２が設けられる。クリップ通し部１２は、クリップ部材２０の外側片２２を上から下に向けて通すためのベルトである。クリップ通し部１２は、袋本体１０の対向面１０ａの上側に設けられる。
【００２６】
また、袋本体１０の対向面１０ａと外側片２２との間には、袋本体１０をクリップ部材２０に着脱自在に取り付けるための取り付け部３０が設けられる。取り付け部３０は、対向面１０ａのクリップ通し部１２よりも下方に設けられ、クリップ通し部１２を通された外側片２２のクリップ通し部１２よりも先端側の部分と対向面１０ａとを接続するために設けられる。
【００２７】
本実施形態では、取り付け部３０として面ファスナが用いられる。面ファスナの一方面３０ａが対向面１０ａに設けられ、他方面３０ｂが外側片２２に設けられる。面ファスナを用いることで、袋本体１０のクリップ部材２０への付け外しが容易になる。
【００２８】
図２（ｂ）に表したように、クリップ部材２０を袋本体１０に取り付けるには、外側片２２をクリップ通し部１２の上から通し、クリップ通し部１２が内側片２１と外側片２２との間の位置になるまで嵌め込む。そして、外側片２２のクリップ通し部１２よりも先端側の部分を、取り付け部３０を介して袋本体１０の対向面１０ａに固定する。
【００２９】
このようにクリップ部材２０の外側片２２がクリップ通し部１２に通された状態で取り付け部３０により固定されているため、取り付け部３０による固定力をクリップ通し部１２でサポートすることができる。これにより、袋本体１０をクリップ部材２０から引き離す方向に力が加わった場合でも、簡単には外れないことになる。
【００３０】
＜クリップ部材のマチ部分への取り付け＞
図３の斜視図には、クリップ部材２０をランドセル１００のマチ部分１１１に取り付けた状態が表される。なお、説明の便宜上、図３において袋本体１０は省略されている。
【００３１】
クリップ部材２０は、ランドセル１００のマチ部分１１１の上縁１１１ａに引っ掛けるように取り付けられる。すなわち、マチ部分１１１の上縁１１１ａにはクリップ部材２０の折り曲げ部２３が引っ掛けられる。この状態で、クリップ部材２０の内側片２１と外側片２２との間にマチ部分１１１が挟み込まれる。クリップ部材２０のバネ性によって、クリップ部材２０はマチ部分１１１を挟み込むようにして固定される。
【００３２】
また、クリップ部材２０の外側片２２は、前締めベルト１４０とマチ部分１１１との間に差し込まれる。これにより、クリップ部材２０は、内側片２１と外側片２２との間でマチ部分１１１を挟み込むとともに、前締めベルト１４０によって外側から押さえられる。
【００３３】
外側片２２を前締めベルト１４０に差し込めるようにするため、折り曲げ部２３の上縁１１１ａと接する位置から外側片２２の先端（下端）までの長さは、上縁１１１ａから前締めベルト１４０の下端までの長さよりも長くしておく。
【００３４】
また、外側片２２の幅は、前締めベルト１４０を留める２つのリベット１４０Ｒの間の内寸よりも僅かに狭くしておくことが望ましい。これにより、外側片２２を前締めベルト１４０に差し込む際、２つのリベット１４０Ｒの間を通すことができるとともに、外側片２２を前締めベルト１４０に通した状態で外側片２２のずれる範囲を狭くすることができる。これにより、クリップ部材２０の横方向の振れを防止することができる。
【００３５】
外側片２２を前締めベルト１４０に差し込むことで、外側片２２に設けられた取り付け部３０は、前締めベルト１４０の下方に配置される。図３には示されないが、袋本体１０は、取り付け部３０を介してクリップ部材２０と接続される。また、袋本体１０のクリップ通し部１２は、前締めベルト１４０の上側に配置される。
【００３６】
＜収納袋１の取り付け方法＞
次に、収納袋１の取り付け方法について説明する。
先ず、図４（ａ）の斜視図に表したように、クリップ部材２０の外側片２２をクリップ通し部１２に通した状態で、内側片２１をマチ部分１１１の内側に差し込む。この際、クリップ通し部１２を通された外側片２２の先端側を、前締めベルト１４０とマチ部分１１１との間に差し込む。
【００３７】
次に、図４（ｂ）の斜視図に表したように、クリップ部材２０をさらに差し込んでいく。そして、折り曲げ部２３の内側が、マチ部分１１１の上縁１１１ａに当たるまでクリップ部材２０を差し込む。これにより、クリップ部材２０を介して袋本体１０がマチ部分１１１の外側に確実に装着される。
【００３８】
このようにクリップ部材２０を取り付けると、図５の斜視図に表したように、収納袋１はランドセル１００のマチ部分１１１にフィットするように装着される。折り曲げ部２３がマチ部分１１１の上縁１１１ａに当たるまでクリップ部材２０を差し込むことで、冠１２０の開け閉めにクリップ部材２０が邪魔になることはない。
【００３９】
図６には、収納袋１をランドセル１００に装着した状態の断面図が表される。クリップ部材２０をマチ部分１１１に嵌め込んだ状態では、折り曲げ部２３はマチ部分１１１の上縁１１１ａに掛けられ、内側片２１はマチ部分１１１の内面を押さえ、外側片２２はマチ部分１１１の外面を押さえる。これにより、マチ部分１１１は、内側片２１と外側片２２とが重なる部分で挟み込まれることになる。
【００４０】
また、クリップ部材２０の外側片２２は、折り曲げ部２３に近い位置でクリップ通し部１２に通され、その下方において前締めベルト１４０に通され、さらにその下方において取り付け部３０で袋本体１０と固定される。
【００４１】
外側片２２をクリップ通し部１２に通すことで、クリップ通し部１２は、外側片２２とマチ部分１１１との間で挟まれる。これにより、袋本体１０は、クリップ通し部１２の位置、すなわち、前締めベルト１４０よりも上側の位置でクリップ部材２０と接続される。
【００４２】
また、外側片２２は、クリップ通し部１２と取り付け部３０との間で前締めベルト１４０に通される。すなわち、外側片２２は、この位置で前締めベルト１４０とマチ部分１１１との間で挟まれることになる。
【００４３】
ここで、クリップ部材２０を単にマチ部分１１１の上縁１１１ａに引っ掛けただけでは、外側片２２を外側に引っ張る力が加わった場合、折り曲げ部２３を支点として外側に開きやすくなる。本実施形態では、外側片２２が前締めベルト１４０に通されているため、外側片２２を外側に開こうとしても前締めベルト１４０によって規制される。したがって、クリップ部材２０に取り付けられた袋本体１０がランドセル１００のマチ部分１１１から外側へ振られることを抑制することができる。
【００４４】
＜ランドセルに収納袋を装着した状態＞
図７の模式図には、児童がランドセル１００を背負った状態が表される。図７に表した例では、ランドセル１００の左右のマチ部分１１１にそれぞれ収納袋１が装着される。このように、収納袋１は、左右の一方のみならず、左右両方に装着してもよい。左右両方に装着すれば、ランドセル１００を背負った際のバランスが良くなる。
【００４５】
ランドセル１００のマチ部分１１１に本実施形態に係る収納袋１を装着すれば、手荷物で両手が塞がることがなくなり、非常に歩きやすくなる。また、マチ部分１１１に収納袋１がしっかり固定されるため、紐付き袋（給食袋や体操着袋など）を紐でぶら下げたときのように揺れて邪魔になることはない。また、マチ部分１１１に対するクリップ部材２０及びクリップ部材２０に対する袋本体１０が確実に固定されているため、飲み物が入った水筒や、上履きなど、ある程度重たい物を収納した場合でも収納袋１が脱落することなく、十分に耐えられる。
【００４６】
＜袋本体の折りたたみ構造＞
図８（ａ）及び（ｂ）の斜視図には、袋本体１０の折りたたみ構造が表される。図８（ａ）に表したように、袋本体１０の側面１０ｂを折りたたみできるように設けてもよい。例えば、側面１０ｂの中央に折り曲げ線Ｌを設けておく。また、側面１０ｂを折りたたんだ際に向かい合う面どうしに面ファスナＦを設けてもよい。
【００４７】
これにより、袋本体１０に物を収納する際には側面１０ｂを拡げて広いマチを構成し、物を収納しやすくする。また、物を収納しない場合や、薄い物を収納する際には側面１０ｂを折りたたむことでコンパクトにすることができる。
【００４８】
さらに、側面１０ｂを折りたたんだ際に、向かい合う面を面ファスナＦで貼り付けておけば、袋本体１０をコンパクトに折りたたんだ状態を維持することができる。特に、幅の狭いロッカー等にランドセル１００を収納する場合には、袋本体１０を折りたたんでおくことで、袋本体１０を取り外すことなく容易にロッカー等へ収納することが可能になる。
【００４９】
以上説明したように、実施形態によれば、収納袋１をランドセル１００の側面に簡単に装着でき、しかも確実に固定することが可能になる。
【００５０】
なお、上記に本実施形態を説明したが、本発明はこれらの例に限定されるものではない。例えば、本実施形態では、クリップ部材２０として、１つ袋本体１０に１つのクリップ部材２０を設ける例を示したが、１つの袋本体１０に複数のクリップ部材２０を設けてもよい。また、前述の実施形態に対して、当業者が適宜、構成要素の追加、削除、設計変更を行ったものも、本発明の要旨を備えている限り、本発明の範囲に含まれる。
【符号の説明】
【００５１】
１…収納袋
１０…袋本体
１１…蓋
１２…クリップ通し部
２０…クリップ部材
２１…内側片
２２…外側片
２３…折り曲げ部
３０…取り付け部
１００…ランドセル
１１０…収容部
１１１…マチ部分
１１１ａ…上縁
１２０…冠
１３０…肩ベルト
１４０…前締めベルト
１４０Ｒ…リベット
【要約】
【課題】ランドセルの側面に簡単に装着でき、しかも確実に固定することができるランドセルに装着される収納袋を提供すること。
【解決手段】本発明の収納袋１は、袋本体１０と、クリップ部材２０と、クリップ通し部１２と、取り付け部３０と、を備える。クリップ部２０は、内側片２１と、外側片２２と、折り曲げ部２３と、を有し、マチ部分１１１を挟み込む。クリップ通し部１２は、袋本体１０のマチ部分１１１との対向面１０ａに設けられ、外側片２２を通す。取り付け部３０は、クリップ通し部１２を通された外側片２２のクリップ通し部１２よりも先端側の部分と、対向面１０ａとの間に設けられ、袋本体１０をクリップ部材２０に着脱自在に取り付ける。そして、クリップ部材２０をマチ部分１１１に取り付けた状態で、外側片２２がクリップ通し部１２と取り付け部３０との間で前締めベルト１４０に通されることを特徴とする。
【選択図】図１【図１】
0005713374.tif 000002
【図２】
0005713374.tif 000003
【図３】
0005713374.tif 000004
【図４】
0005713374.tif 000005
【図５】
0005713374.tif 000006
【図６】
0005713374.tif 000007
【図７】
0005713374.tif 000008
【図８】
0005713374.tif 000009